(57)【特許請求の範囲】
【請求項１】
建物開口部に固定される窓枠と、この窓枠における室外寄りに支持される室外面材と、この室外面材の室内側に沿って上下スライド自在に前記窓枠に支持される可動障子とを備えた建具であって、
前記可動障子は、上框、下框および左右の縦框を四周框組みした内部に面材を取り付けて形成されるとともに、前記下框が前記室外面材上部の外召合せ框の室内側に重なる閉鎖位置と、この閉鎖位置から下方にスライドされて前記室外面材の室内側に重なる開放位置との間を開閉移動自在に設けられ、
前記室外面材の外召合せ框と前記閉鎖位置にある可動障子の下框との間には、前記外召合せ框に設けられて前記下框に当接する気密材が設けられ、この気密材よりも下方における前記外召合せ框には、当該外召合せ框における室外部分と室内部分との間の熱伝導を遮断する断熱手段が設けられ、
前記外召合せ框は、前記室外面材の上端縁を保持する面材保持部を有して構成され、
この面材保持部は、上面部と、前記室外面材の室外側側面に沿って下方に延びる室外側保持面部と、前記室外面材の室内側側面に沿って下方に延びる室内側保持面部と、を有して下方に開口した断面略コ字形に形成され、
前記上面部の室内側端部から室内側に延びて形成された気密材保持部に前記気密材が取り付けられるとともに、
前記上面部の室内側端部から下方に突出するように設けられて前記上面部と前記室内側保持面部とを連結する樹脂製の連結部材により前記断熱手段が構成されている建具。
【請求項２】
前記気密材は、前記閉鎖位置にある可動障子における前記下框の上端縁近傍に当接される請求項１に記載の建具。
【請求項３】
前記気密材よりも室内側位置において、前記室外面材の外召合せ框と前記可動障子の下框との間には、水受け手段が設けられている請求項１または請求項２に記載の建具。
【請求項４】
前記水受け手段は、前記室外面材の外召合せ框および前記可動障子の下框の下端部同士のうち、いずれか一方に設けられて他方に当接する第２気密材で構成されている請求項３に記載の建具。
【請求項５】
前記可動障子の上框、下框および縦框は、それぞれ樹脂製の室内部材を有して構成されている請求項１から請求項４のいずれかに記載の建具。
【発明の詳細な説明】
【技術分野】
【０００１】
本発明は、建具に関し、詳しくは、窓枠と、この窓枠内に支持された可動障子とを備えた上げ下げ窓等の建具に関する。
【背景技術】
【０００２】
住宅等の外壁開口部に設けられる建具として、上下一対の障子を備えた上げ下げ窓が知られている（例えば、特許文献１〜３参照）。
特許文献１、２には、窓枠と、この窓枠の上半分に固定された固定障子（外障子）やガラスパネルと、この固定障子の室内側に沿って上下にスライド開閉自在に設けられた可動障子（内障子、下部障子）とを備えたシングルハングの上げ下げ窓が開示されている。一方、特許文献３には、内障子のみならず外障子も上下にスライド開閉自在に設けられたダブルハングの上げ下げ窓が開示されている。
以上のような特許文献１〜３に記載された上げ下げ窓では、いずれも閉鎖状態において外障子が内障子よりも上側に位置し、外障子の下框（外召合せ框）の室内側に内障子の上框（内召合せ框）が重なるようになっている。
【０００３】
【特許文献１】特開２００３−１７６６６７号公報
【特許文献２】特開平６−３１３３８４号公報
【特許文献３】特開２００３−６４９６６号公報
【発明の開示】
【発明が解決しようとする課題】
【０００４】
ところで、従来の上げ下げ窓において、外障子と内障子とを入れ替えた場合、つまり外障子の上框を外召合せ框とするとともに内障子の下框を内召合せ框とし、これらが見込み方向に重なって内外の障子が閉じるように構成した場合には、以下の問題が生じる。すなわち、外気の温度変化の影響を受けやすい外障子の上框を外召合せ框とすると、この外召合せ框が冬期に冷やされた場合に、その室内面つまり内召合せ框と対向する面に結露が発生し、結露水が室内側に垂れ落ちるという不具合が生じる。一方、従来の上げ下げ窓のように、外障子の下框で外召合せ框が構成されていれば、結露水が室内側に垂れ落ちることがなく、結露が大きな問題となることがなかった。
以上のように、外障子の上框を外召合せ框とし、内障子の下框を内召合せ框とした場合には、垂れ落ちた結露水により建具やその周辺が汚れたり、外障子のガラス室内面を伝い落ちた結露水に埃等が付着したりなど、建具の美観を損ねるという問題がある。このため、内外の障子の上下関係を変更することが困難となり、窓を設計する上での制約を受けることから、設計自由度が低下してしまうという問題があった。
【０００５】
本発明の目的は、建具の美観を維持しつつ面材配置の設計自由度を高めることができる建具を提供することにある。
【課題を解決するための手段】
【０００６】
本発明の建具は、建物開口部に固定される窓枠と、この窓枠における室外寄りに支持される室外面材と、この室外面材の室内側に沿って上下スライド自在に前記窓枠に支持される可動障子とを備えた建具であって、前記可動障子は、上框、下框および左右の縦框を四周框組みした内部に面材を取り付けて形成されるとともに、前記下框が前記室外面材上部の外召合せ框の室内側に重なる閉鎖位置と、この閉鎖位置から下方にスライドされて前記室外面材の室内側に重なる開放位置との間を開閉移動自在に設けられ、前記室外面材の外召合せ框と前記閉鎖位置にある可動障子の下框との間には、前記外召合せ框に設けられて前記下框に当接する気密材が設けられ、この気密材よりも下方における前記外召合せ框には、当該外召合せ框における室外部分と室内部分との間の熱伝導を遮断する断熱手段が設けられ、前記外召合せ框は、前記室外面材の上端縁を保持する面材保持部を有して構成され、この面材保持部は、上面部と、前記室外面材の室外側側面に沿って下方に延びる室外側保持面部と、前記室外面材の室内側側面に沿って下方に延びる室内側保持面部と、を有して下方に開口した断面略コ字形に形成され、前記上面部の室内側端部から室内側に延びて形成された気密材保持部に前記気密材が取り付けられるとともに、前記上面部の室内側端部から下方に突出するように設けられて前記上面部と前記室内側保持面部とを連結する樹脂製の連結部材により前記断熱手段が構成されていることを特徴とする。
【０００７】
ここで、室外面材および可動障子としては、それぞれ１枚ずつで構成されてもよく、室外面材が１枚の面材から構成され可動障子が上下一対の２枚の障子（上部障子および下部障子）から構成されていてもよく、これとは逆に、室外面材が上下一対の２枚の面材から構成され可動障子が１枚で構成されていてもよい。さらには、室外面材や可動障子が３枚以上の面材（障子）から構成されていてもよい。
また、室外面材は、窓枠に対して移動不能に固定されていてもよく、また可動障子と同様に上下スライド自在に支持されていてもよい。さらには、室外面材が窓枠に対して外開き形式や突き出し形式、あるいは縦辷出し（または横辷出し）形式などの各種形式で開閉可能に支持されていてもよい。
【０００８】
以上の本発明によれば、室外面材の外召合せ框において、気密材よりも下方（つまり室内空間側の位置）に断熱手段を設けたことで、この断熱手段よりも室内側に位置する外召合せ框の室内部分への外気温変化の影響が排除または低減でき、冬期における室内部分の結露を防止することができる。従って、室外面材の上框である外召合せ框の室内側に可動障子の下框が重なって閉じる開閉形式の建具において、外召合せ框の室内部分の結露を防止することで、結露水が室内側に垂れ落ちたり、室外面材の室内面を伝い落ちたりすることがなく、建具やその周辺が汚れることが防止でき、美観を維持することができる。そして、従来の上げ下げ窓のような内外障子の召合せ構造の制約を受けることがなくなるため、室外面材や可動障子の配置に関する設計の自由度を高めることができる。
また、外召合せ框の面材保持部を構成する上面部と室内側保持面部との間に、これらの上面部と室内側保持面部とを連結する樹脂製の連結部材（キャビティ）として断熱手段を構成したことで、連結部材を面材保持部の内部側に膨出させて形成することができ、連結部材の断面積が確保できる。従って、所定の断熱性能を得るのに十分な熱容量および連結強度を備えるとともに、室内側等に突出させないで連結部材が形成でき、外召合せ框の断熱性および外観意匠性を向上させることができる。
【００１１】
さらに、本発明の建具では、前記気密材は、前記閉鎖位置にある可動障子における前記下框の上端縁近傍に当接されることが好ましい。
このような構成によれば、外召合せ框に設けた気密材を可動障子の下框の上端縁近傍に当接させることで、内召合せ框である下框において、外気に露出する室外部分の表面積が小さくでき、下框に対する外気温の影響が低減されることから、下框の室内部分における結露も防止することができる。
【００１２】
また、本発明の建具では、前記気密材よりも室内側位置において、前記室外面材の外召合せ框と前記可動障子の下框との間には、水受け手段が設けられていることが好ましい。
このような構成によれば、室外面材の外召合せ框と可動障子の下框との間において、気密材よりも室内側位置に水受け手段を設けたことで、外召合せ框の室内部分に万一結露が発生したとしても、この結露水を水受け手段で受けることができ、室内側に水が垂れ落ちることが防止できる。
【００１３】
この際、本発明の建具では、前記水受け手段は、前記室外面材の外召合せ框および前記可動障子の下框の下端部同士のうち、いずれか一方に設けられて他方に当接する第２気密材で構成されていることが好ましい。
このような構成によれば、外召合せ框の下端部と可動障子の下框の下端部とに渡って第２気密材を設けたことで、外召合せ框と下框とが対向して形成される空間と室内空間とを第２気密材で仕切ることができ、室内の湿気を含んだ内気が外召合せ框の室内部分に到達しないことから、外召合せ框の結露をさらに確実に防止することができる。
【００１４】
また、本発明の建具では、前記可動障子の上框、下框および縦框は、それぞれ樹脂製の室内部材を有して構成されていることが好ましい。
このような構成によれば、内召合せ框である下框が樹脂製の室内部材を有することで、下框における結露をより効果的に防止することができる。
【発明を実施するための最良の形態】
【００１５】
以下、本発明の実施形態を図面に基づいて説明する。
図１は、本発明の実施形態に係る建具である上げ下げ窓１を室外側から見た正面図である。図２は、上げ下げ窓１を示す縦断面図である。図３および図４は、それぞれ上げ下げ窓１を示す横断面図であって、図３は、図１に矢視III−III線で示す断面図であり、図４は、図１に矢視IV−IV線で示す断面図である。図５は、上げ下げ窓１を室外側から見た分解斜視図である。
図１〜図５において、上げ下げ窓１は、戸建て住宅等の建物の外壁２における開口部に設けられて建物の室内空間と室外空間とを仕切るもので、下端位置が床面３と略同一高さ位置に設けられ、上端位置が天井面４と略同一高さ位置に設けられた窓である。
【００１６】
上げ下げ窓１は、上枠１１、下枠１２、および左右の縦枠１３を四周枠組みした窓枠１０と、この窓枠１０の内側に上下スライド開閉自在に支持された上部可動障子２０および下部可動障子３０とを備えて構成されている。窓枠１０は、外壁２開口部周辺の壁パネル等の建物躯体５に固定されている。上部可動障子２０および下部可動障子３０は、それぞれ上框２１，３１、下框２２，３２、および左右の縦框２３，３３を四周框組みした内部に、ガラスパネル（複層ガラス）２４，３４を嵌め込んで構成されている。
【００１７】
また、上部可動障子２０および下部可動障子３０の室外側における窓枠１０内部には、室外側面状体としての固定面材ユニット４０が取り付けられており、この固定面材ユニット４０は、上下左右の框材としての上框４１、下框４２、および左右の縦框４３を四周框組みした面状体枠としてのユニット枠４０Ａと、ユニット枠４０Ａの内部を上下に仕切る２本の中間框材としての上部中間框４４および下部中間框４５と、上下一対の通気面材としての上部通気面材４６および下部通気面材４７と、上部中間框４４および下部中間框４５の間に保持される室外面材（固定面材）としての固定ガラスパネル（複層ガラス）４８とを有して構成されている。また、固定面材ユニット４０における上部通気面材４６および下部通気面材４７の室内側には、それぞれ網戸４９が取り付けられている。
【００１８】
窓枠１０の縦枠１３は、図３および図４に示すように、アルミ形材製の縦枠本体１３１と、この縦枠本体１３１の室内寄りに固定される樹脂製の縦枠レール部材１３２とを有して構成されている。縦枠本体１３１は、見込み方向に延びる見込み面部１３３と、この見込み面部１３３の見込み方向略中央から見付け方向内側に突出する突出片部１３４と、この突出片部１３４の室外側と見込み面部１３３とに渡る縦枠中空部１３５とを有して形成されている。縦枠レール部材１３２は、見付け方向内側に向かって開口した断面略Ｃ字形に形成され、見込み面部１３３室内側端部および突出片部１３４先端部に係合されて縦枠本体１３１に取り付けられており、上部可動障子２０および下部可動障子３０を上下に案内可能に構成されている。また、上部可動障子２０および下部可動障子３０の縦框２３，３３は、アルミ形材製の縦框本体２３１，３３１と、この縦框本体２３１，３３１の室内側に固定される樹脂製の縦框室内部材２３２，３３２とを有して構成されている。
【００１９】
また、図３に示すように、上部可動障子２０および下部可動障子３０の開閉移動範囲を外れた高さ位置における縦枠レール部材１３２には、その開口部を覆う縦枠カバー部材１３６が取り付けられている。さらに、縦枠レール部材１３２には、図２および図５に示すように、開放した上部可動障子２０および下部可動障子３０の各々に当接し、当該障子を開放位置に停止させる障子ストッパー１３７が固定されている。これらの障子ストッパー１３７は、図３に示すストッパー固定金物１３７Ａを介して縦枠レール部材１３２に固定されており、これら上下の障子ストッパー１３７間に渡って縦枠カバー部材１３６が取り付けられている。
【００２０】
上部可動障子２０および下部可動障子３０は、それぞれ縦枠レール部材１３２に案内されて上下にスライド可能に支持されるとともに、上部可動障子２０および下部可動障子３０が同一面内で連動して開閉可能に設けられている。すなわち、上部可動障子２０および下部可動障子３０は、図４に示すように、それぞれの縦框２３，３３下端部位置にスライドシュー（スライド部材）２５，３５が連結されるとともに、図３に示すように、縦框２３，３３上端部位置にラッチ装置２６，３６が取り付けられている。そして、スライドシュー２５，３５が縦枠レール部材１３２の開口内部に支持されるとともに、ラッチ装置２６，３６の係止部（不図示）が縦枠レール部材１３２に係止されることで、上部可動障子２０および下部可動障子３０が上下スライド開閉可能になっている。そして、上部可動障子２０および下部可動障子３０は、図示しない滑車とワイヤを介して互いに連結されるとともに吊り下げ支持されており、例えば下部可動障子３０を開放操作することで上部可動障子２０も開放され、下部可動障子３０を閉鎖操作することで上部可動障子２０も閉鎖されるように構成されている。
【００２１】
以上の上部可動障子２０は、図２に示すように、その上框２１が上枠１１に当接するとともに、下框２２と固定面材ユニット４０の上部中間框４４とが見込み方向に重なって閉じられる（閉鎖位置）。また、上部可動障子２０は、下方にスライドされて上框２１が上部中間框４４の室内側に略重なるとともに、縦框２３の下端部（スライドシュー２５）が障子ストッパー１３７に当接する開放位置まで開放されるように構成されている。一方、下部可動障子３０は、その下框３２が下枠１２に当接するとともに、上框３１と固定面材ユニット４０の下部中間框４５とが見込み方向に重なって閉じられる（閉鎖位置）。この閉鎖位置において、下部可動障子３０の上框３１に設けたクレセント錠３７を操作して下部中間框４５の錠受けに３７Ａに係合させることで、下部可動障子３０と、これに連動する上部可動障子２０とが施錠できるようになっている。また、下部可動障子３０は、上方にスライドされて下框３２が下部中間框４５の室内側に略重なるとともに、縦框３３の上端部（ラッチ装置３６）が障子ストッパー１３７に当接する開放位置まで開放されるように構成されている。
【００２２】
次に、図６〜図９も参照して上げ下げ窓１の各部の詳細について説明する。
図６は、上げ下げ窓１の上部を拡大して示す縦断面図である。図７および図８は、それぞれ上げ下げ窓１における上部可動障子２０の召合せ部分および下部可動障子３０の召合せ部分を拡大して示す縦断面図である。図９は、上げ下げ窓１の下部を拡大して示す縦断面図である。図１０は、上部可動障子２０の召合せ部分をさらに拡大して示す縦断面図である。
【００２３】
上枠１１は、図６に示すように、アルミ形材製の上枠本体１１１と、この上枠本体１１１の室内寄りに固定される樹脂製の上枠カバー部材１１２とを有して構成されている。上枠本体１１１は、見込み方向に延びる上枠上面部１１３と、この上枠上面部１１３の室外側端部から下方に延びる先端見付け面部１１４と、この先端見付け面部１１４と対向して上枠上面部１１３から下方に突出する第１突出片部１１５と、上枠上面部１１３の見込み方向略中央から下方に突出する第２突出片部１１６とを有して形成されている。そして、第２突出片部１１６の先端部には、室内側に向かって延びるモヘヤが取り付けられており、このモヘヤが閉鎖位置にある上部可動障子２０の上框２１に当接するようになっている。また、第１突出片部１１５の先端部には、室外側に向かって延びるモヘヤが取り付けられており、このモヘヤが固定面材ユニット４０の上框４１に当接するとともに、第１突出片部１１５によって上框４１が係止されて室外側への移動が規制されるようになっている。また、上部可動障子２０の上框２１は、アルミ形材製の上框本体２１１と、この上框本体２１１の室内側に固定される樹脂製の上框室内部材２１２とを有して構成されている。
【００２４】
一方、固定面材ユニット４０の上框４１は、アルミ形材製の一体成形部材であって、上方に開口した断面コ字形の被係止部４１１と、この被係止部４１１の室外側端部から下方に延びる上框前面部４１２と、被係止部４１１の室内側端部から下方に延びる上框背面部４１３とを有している。さらに、上框４１は、上框前面部４１２と上框背面部４１３とを結んで室内側に下がり勾配を有した上框底面部４１４と、この上框底面部４１４と上框背面部４１３との交差位置から室外側に下がり勾配を有して傾斜した上框傾斜面部４１５と、この上框傾斜面部４１５の室外側端部から下方に延びる突片部としての上框垂下面部４１６と、この上框垂下面部４１６の下端部から室内側に突出した上框突出片部４１７とを有して形成されている。そして、上框垂下面部４１６は、後述する通気部材４６２の通気前面部４６３と略同様の断面形態を有して形成されるとともに、通気部材４６２の通気背面部４６４の室外側に対向して位置するようになっており、上框４１と通気部材４６２との間に端部通気経路である上端部通気経路４１８が形成されている。さらに、上框前面部４１２および上框垂下面部４１６には、通気前面部４６３と同様の凹凸形状が形成されている。
【００２５】
次に、図７および図１０に示すように、上部可動障子２０の下框２２と固定面材ユニット４０の上部中間框４４とは、見込み方向に重なって上部可動障子２０が閉じるようになっている。すなわち、上部可動障子２０の下框２２によって内召合せ框が構成され、固定面材ユニット４０の上部中間框４４によって外召合せ框が構成され、これら内外の召合せ框によって召合せ部が構成されている。
上部可動障子２０の下框２２は、アルミ形材製の下框本体２２１と、この下框本体２２１の室内側に固定される樹脂製の下框室内部材２２２とを有して構成されている。下框本体２２１には、略矩形中空状の中空部２２３が形成され、この中空部２２３に係合して下框室内部材２２２が下框本体２２１に固定されている。下框室内部材２２２には、ガラスパネル２４の室内側に沿って上方に延びる室内見付け面部２２４が形成され、下框本体２２１には、ガラスパネル２４の室外側に沿って上方に延びる室外見付け面部２２５が形成され、中空部２２３の室外側には、室外側に延びて上方に折れ曲がった煙返し２２６が形成されている。この下框２２において、室内見付け面部２２４と室外見付け面部２２５とは、互いに見込み方向に対向して配置されており、これらの間に上方に開口した面材保持部２２Ａが形成されている。この面材保持部２２Ａには、ガスケット２４１を介してガラスパネル２４の下端縁が保持されるようになっている。
【００２６】
一方、固定面材ユニット４０の上部中間框４４は、アルミ形材製の上部中間框室外部材４４１（室外部分）および上部中間框室内部材４４２（室内部分であり室内側保持面部）と、これらを連結する樹脂製の連結部材である断熱部材（キャビティ）４４３とを有して構成されている。上部中間框室外部材４４１は、室外側にて上下に延びる室外側保持面部としての上部中間框前面部４４４と、上部中間框前面部４４４の上端部から室内側に延び室外側に下がり勾配を有した上面部である上部中間框傾斜面部４４５と、この上部中間框傾斜面部４４５の室内側端部から上方に延びる上部中間框背面部４４６と、上部中間框背面部４４６の上端部から室外側に突出した上部突出片部４４７とを有して形成されている。この上部中間框４４において、上部中間框前面部４４４と上部中間框室内部材４４２とは、互いに見込み方向に対向して配置されており、これらの間に下方に開口した面材保持部４４Ａが形成されている。この面材保持部４４Ａには、ガスケット４８１を介して固定ガラスパネル４８の上端縁が保持されるようになっている。そして、断熱部材４４３は、面材保持部４４Ａの内部側に膨出した断面寸法を有して形成され、上部中間框４４の室内側側面が略フラットに形成されている。
【００２７】
以上のような上部中間框４４における上部中間框背面部４４６および上部突出片部４４７は、通気部材４６２の通気背面部４６４および上部突出片部４６７と略同様の断面形態を有して形成されるとともに、通気部材４６２の通気前面部４６３の室内側に対向して位置するようになっており、上部中間框４４と通気部材４６２との間に中間部通気経路４４８が形成されている。そして、上部突出片部４４７は、中間部通気経路４４８に入った雨水等を阻止する水返し片として機能するように構成されている。さらに、上部中間框前面部４４４には、通気前面部４６３と同様の凹凸形状が形成されている。また、上部中間框４４の上部中間框室外部材４４１室内側端部には、上部可動障子２０の下框２２の煙返し２２６と係合可能な係合片としての煙返し４４９が形成されており、閉鎖位置にある上部可動障子２０の煙返し２２６が上部中間框４４の煙返し４４９に係合することで、上部可動障子２０が固定面材ユニット４０側（室外側）に引き寄せられるようになっている。
【００２８】
さらに、上部中間框４４における上部中間框室外部材４４１には、図１０に示すように、煙返し４４９よりも室外側でかつ上部中間框背面部４４６よりも室内側にて上方に立ち上がる立上り片４４Ｂが形成されている。また、立上り片４４Ｂの室内側に対向して煙返し４４９の上側には、室内側に開口した気密材保持部４４Ｃが形成され、この気密材保持部４４Ｃには、上部可動障子２０の下框２２の室外見付け面部２２５に当接可能な気密材４４Ｄが取り付けられている。そして、上部中間框背面部４４６と立上り片４４Ｂとの間には、上方に開口するとともに当該上部中間框４４の長手方向に延びた溝部４４Ｅが形成されている。以上のように、上部中間框４４は、気密材４４Ｄよりも室内側（下側）位置に上部中間框室外部材４４１と上部中間框室内部材４４２との間の熱伝導を遮断する断熱手段としての断熱部材４４３を有した断熱框となっている。従って、冬期において、上部中間框室外部材４４１が外気で冷却された場合でも、上部中間框室内部材４４２の温度が下がりにくく、上部中間框室内部材４４２に結露が発生しにくくなっている。
【００２９】
次に、図８に示すように、下部可動障子３０の上框３１と固定面材ユニット４０の下部中間框４５とは、見込み方向に重なって下部可動障子３０が閉じるようになっている。すなわち、下部可動障子３０の上框３１によって内召合せ框が構成され、固定面材ユニット４０の下部中間框４５によって外召合せ框が構成され、これら内外の召合せ框によって召合せ部が構成されている。
下部可動障子３０の上框３１は、アルミ形材製の上框本体３１１と、この上框本体３１１の室内側に固定される樹脂製の上框室内部材３１２とを有して構成されている。上框本体３１１には、略矩形中空状の中空部３１３が形成され、この中空部３１３に係合して上框室内部材３１２が上框本体３１１に固定されている。上框室内部材３１２には、ガラスパネル３４の室内側に沿って下方に延びる室内見付け面部３１４が形成され、上框本体３１１には、ガラスパネル３４の室外側に沿って下方に延びる室外見付け面部３１５が形成され、中空部３１３の室外側には、室外側に延びて下方に折れ曲がった煙返し３１６が形成されている。さらに、上框３１には、上框室内部材３１２の室内側上端から室内側に延びた操作把手３１７が形成されている。この上框３１において、室内見付け面部３１４と室外見付け面部３１５とは、互いに見込み方向に対向して配置されており、これらの間に下方に開口した面材保持部３１Ａが形成されている。この面材保持部３１Ａには、ガスケット３４１を介してガラスパネル３４の上端縁が保持されるようになっている。
【００３０】
一方、固定面材ユニット４０の下部中間框４５は、アルミ形材製の一体成形部材であって、室外側上端部にて上下に延びる下部中間框前面部４５１と、この下部中間框前面部４５１の室内側に対向する下部中間框背面部４５２とを有して形成されている。そして、下部中間框前面部４５１と下部中間框背面部４５２との間には、上方に開口した面材保持部４５Ａが形成されており、この面材保持部４５Ａには、ガスケット４８１を介して固定ガラスパネル４８の下端縁が保持されるようになっている。さらに、下部中間框４５は、下部中間框前面部４５１よりも下方に位置する第２前面部４５３および第３前面部（中間突片部）４５４と、これらを結んで室内側に凹んだ凹面部４５５と、下部中間框背面部４５２に連続して下方に延び第２前面部４５３の室内側に対向する第２背面部４５６と、第３前面部４５４の下端部から室内側に突出した下部突出片部４５７とを有して形成されている。
【００３１】
以上のような下部中間框４５における第３前面部４５４および下部突出片部４５７は、通気部材４７２の通気前面部４７３および下部突出片部４７６と略同様の断面形態を有して形成されるとともに、通気部材４７２の通気背面部４７４の室外側に対向して位置するようになっており、下部中間框４５と通気部材４７２との間に中間部通気経路４５８が形成されている。そして、下部中間框４５の下部中間框前面部４５１、第２前面部４５３および第３前面部４５４には、通気前面部４７３と同様の凹凸形状が形成されている。また、下部中間框４５の下部中間框背面部４５２には、下部可動障子３０の上框３１と係合可能な煙返し４５９が形成されており、閉鎖位置にある下部可動障子３０の上框３１の煙返し３１６が下部中間框４５の煙返し４５９に係合することで、下部可動障子３０が固定面材ユニット４０側（室外側）に引き寄せられるようになっている。
【００３２】
次に、図９に示すように、下枠１２は、アルミ形材製の下枠室外部材１２１および下枠室内部材１２２と、これらを連結する樹脂製の断熱部材１２３と、下枠室内部材１２２の室内側端部に固定される樹脂製の下枠カバー部材１２４とを有して構成されている。下枠室外部材１２１は、それぞれ見込み方向に延びる下枠上面部１２５および下枠底面部１２６と、下枠上面部１２５から上方に延びる立上り片部１２７と、この立上り片部１２７よりも室外側の下枠上面部１２５から上方に突出する突起部１２８とを有して形成されている。そして、立上り片部１２７の上端部および下枠カバー部材１２４には、それぞれ気密部材が取り付けられており、これらの気密部材と閉鎖位置にある下部可動障子３０の下框３２とが当接するようになっている。また、固定面材ユニット４０は、下枠上面部１２５に載置されるとともに、下框４２が突起部１２８に係止されて室外側への移動が規制されるようになっている。また、下部可動障子３０の下框３２は、アルミ形材製の下框本体３２１と、この下框本体３２１の室内側に固定される樹脂製の下框室内部材３２２とを有して構成されている。
【００３３】
一方、固定面材ユニット４０の下框４２は、アルミ形材製の一体成形部材であって、下枠１２の下枠上面部１２５に載置される室外側載置片部４２１および室内側載置片部４２２と、これらを結んで室外側に下がり勾配を有した下框上面部４２３と、この下框上面部４２３から上方に立ち上がる突片部としての下框背面部４２４と、この下框背面部４２４の上端部から室外側に突出した下框突出片部４２５とを有して形成されている。そして、下框背面部４２４および下框突出片部４２５は、後述する通気部材４７２の通気背面部４７４および上部突出片部４７７と略同様の断面形態を有して形成されるとともに、通気部材４７２の通気前面部４７３の室内側に対向して位置するようになっており、下框４２と通気部材４７２との間に端部通気経路である下端部通気経路４２８が形成されている。そして、下框突出片部４２５は、下端部通気経路４２８に入った雨水等を阻止する水返し片として機能するように構成されている。
【００３４】
以上の固定面材ユニット４０は、ユニット枠４０Ａの内部に上部中間框４４および下部中間框４５と、上部通気面材４６および下部通気面材４７と、固定ガラスパネル４８とを組み込んでユニット化されている。この固定面材ユニット４０の上部通気面材４６および下部通気面材４７は、図６〜図９に示すように、左右の縦框４３に固定された樹脂製の端部取付部品４６１，４７１と、これらの端部取付部品４６１，４７１間に渡って設けられる複数の通気部材４６２，４７２とを有して構成されている。通気部材４６２，４７２は、アルミ形材製の一体成形部材であって、室外側にて上下に延びる通気前面部４６３，４７３と、室内側にて上下に延びる通気背面部４６４，４７４と、これらを結んで室外側に下がり勾配を有した通気傾斜面部４６５，４７５とを有して全体クランク状に形成されている。さらに、通気部材４６２，４７２は、通気前面部４６３，４７３の下端部から室内側に突出した下部突出片部４６６，４７６と、通気背面部４６４，４７４の上端部から室外側に突出した上部突出片部４６７，４７７とを有して形成されている。
【００３５】
そして、上下に隣接する通気部材４６２，４７２は、互いの通気前面部４６３，４７３と通気背面部４６４，４７４とが見込み方向に対向し、上下の通気部材４６２，４７２同士の間に通気経路４６８，４７８が形成されている。この通気経路４６８，４７８は、上下の通気部材４６２，４７２における通気前面部４６３，４７３間に室外側開口を有し、この室外側開口からクランク状に室内側および上方に折れ曲がって延び、通気背面部４６４，４７４間に室内側開口を有して形成されている。そして、室外側開口から通気経路４６８，４７８に入った雨水等は、通気背面部４６４，４７４で阻止されるとともに、水返し片として機能する上部突出片部４６７，４７７で阻止され下方に落下し、通気傾斜面部４６５，４７５の傾斜に沿って室外側に排出されるようになっている。さらに、風を伴って側方から吹き付ける雨水等が室外側開口から通気経路４６８，４７８に入った場合でも、この雨水等は、下部突出片部４６６，４７６に当たって下方に向きを変え、通気背面部４６４，４７４に当たって落下し、通気傾斜面部４６５，４７５に沿って排出されるようになっている。
【００３６】
また、固定面材ユニット４０の縦框４３は、図３および図４に示すように、アルミ形材製の一体成形部材であって、見込み方向に延びる一対の見込み面部４３１，４３２と、これらの見込み面部４３１，４３２に連続して見付け方向内側に延びる室内側見付け面部４３３および室外側見付け面部４３４と、室外側見付け面部４３４に連続して見付け方向外側に延びる突出片部４３５とを有して形成されている。そして、見込み面部４３１，４３２の室内側端部および突出片部４３５の先端部には、それぞれ室内側に突出した気密部材が取り付けられており、それぞれ縦枠１３の突出片部１３４および縦枠中空部１３５に当接するようになっている。また、室内側見付け面部４３３と室外側見付け面部４３４とは、互いに見込み方向に対向して設けられ、これらの間には、見付け方向内側に開口した面材保持部４３Ａが形成されており、この面材保持部４３Ａには、ガスケット４８１を介して固定ガラスパネル４８の側端縁が保持されるようになっている。
【００３７】
一方、固定面材ユニット４０における上部通気面材４６および下部通気面材４７の室内側に取り付けられる網戸４９は、図４および図６〜図９に示すように、それぞれアルミ形材製の上框４９１、下框４９２、および左右の縦框４９３を四周框組みするとともに、これらの室外側に防虫ネット４９４を取り付けて構成されている。この網戸４９は、下框４９２に固定した係止部材４９５を上部中間框４４または下框４２に係止させるとともに、上框４９１に取り付けたラッチ４９６を上框４１または下部中間框４５に係止させることで、固定面材ユニット４０に取り付けられるようになっている。ここで、固定面材ユニット４０の上框４１および下部中間框４５には、ラッチ４９６を係止する係止部材４９７が固定されている。そして、網戸４９は、ラッチ４９６を係止部材４９７から外すことで固定面材ユニット４０から室内側に取り外し可能になっており、上部可動障子２０および下部可動障子３０を開放した状態で室内側から脱着できるように構成されている。
【００３８】
このような本実施形態によれば、以下のような効果がある。
（１）すなわち、上部可動障子２０の下框２２（内召合せ框）と固定面材ユニット４０の上部中間框４４（外召合せ框）とで構成された召合せ部において、上部中間框４４が断熱框とされ、気密材４４Ｄよりも室内側に断熱部材４４３が設けられているので、冬期において上部中間框室内部材４４２に結露が発生しにくくなっている。従って、上部中間框４４の結露水が室内側に垂れ落ちたり、固定ガラスパネル４８の室内面を伝い落ちたりすることがなく、上げ下げ窓１やその周辺が汚れることが防止でき、美観を維持することができる。そして、従来の上げ下げ窓のような内外障子の召合せ構造の制約を受けることがなくなるため、固定面材である固定ガラスパネル４８および上部中間框４４と上部可動障子２０との配置に関する設計の自由度を高めることができる。
【００３９】
（２）さらに、上部中間框４４において上部中間框室外部材４４１と上部中間框室内部材４４２とを連結する樹脂製の断熱部材４４３が、面材保持部４４Ａの内部側に膨出した断面寸法を有して形成され、上部中間框４４の室内側側面が略フラットに形成されているので、断熱部材４４３の断面積が確保できる。従って、断熱部材４４３において、所定の断熱性能を得るのに十分な熱容量および連結強度が確保でき、断熱性能を高めることができるとともに、断熱部材４４３が室内側に突出しないことで上部中間框４４の外観意匠性を向上させることができる。
【００４０】
（３）また、気密材４４Ｄが上部可動障子２０における下框２２の上端縁近傍に当接されているので、下框２２において、外気に露出する室外部分の表面積が小さくでき、下框２２に対する外気温の影響が低減されることから、下框２２の室内部分における結露も防止することができる。さらに、下框２２が樹脂製の下框室内部材２２２を有して構成されているので、アルミ形材製の下框本体２２１に内気が当たりにくくなり、下框２２における結露をより効果的に防止することができる。
【００４１】
（４）また、上部中間框４４に上部中間框背面部４４６が形成され、その室外側に上部通気面材４６の通気部材４６２が対向して設けられているので、通気部材４６２によって雨が阻止されるとともに、通気部材４６２よりも室内側に浸入した雨が上部中間框背面部４４６によって阻止される。従って、固定面材ユニット４０の上部中間框４４の室内側に上部可動障子２０の下框２２が重なって閉じる開閉形式の上げ下げ窓１において、止水性能を確保することができ、この点でも設計の自由度を高めることができる。
【００４２】
（５）また、上部通気面材４６および下部通気面材４７として、複数の通気部材４６２，４７２を有したガラリ形状のものを利用したことで、防犯性を向上させることができる。さらに、通気部材４６２，４７２同士の間に形成される通気経路４６８，４７８の室外側開口が室内側開口よりも下方に設けられることで、雨の降り込みが防止でき、雨天であっても上下の可動障子２０，３０を開放して通気することができ、室内の快適性を向上させることができる。
【００４３】
（６）さらに、固定面材ユニット４０の上部中間框４４および下部中間框４５が通気部材４６２，４７２と略同様な形態を有するとともに、固定ガラスパネル４８を保持する面材保持部４４Ａ，４５Ａを有して形成されているので、固定ガラスパネル４８を保持するための框材を別途設ける必要がなく、固定面材ユニット４０の構造を簡単化することができるとともに、外観デザインの連続性による良好な意匠が確保できる。
【００４４】
なお、本発明は、前記実施形態に限定されるものではなく、本発明の目的を達成できる他の構成等を含み、以下に示すような変形等も本発明に含まれる。
例えば、前記実施形態においては、上げ下げ窓１が上下一対の２枚の障子（上部可動障子２０および下部可動障子３０）を有して構成されていたが、これに限らず、可動障子が１枚であってもよく、また３枚以上の可動障子を有して構成されていてもよい。可動障子が１枚の場合には、上部可動障子２０に相当する可動障子の下框と、固定面材ユニット４０における上部中間框４４に相当する外召合せ框とが見込み方向に重なるような構成であればよい。また、３枚以上の可動障子を有する建具を構成する場合には、上部可動障子２０に相当する可動障子と、固定面材ユニット４０における固定ガラスパネル４８および上部中間框４４に相当する固定面材および外召合せ框とを有していればよい。
【００４５】
また、前記実施形態では、室外面材として固定面材ユニット４０に組み込まれかつ窓枠１０に対して移動不能な固定ガラスパネル４８を用いたが、室外面材としては、窓枠１０に上下スライド開閉自在に支持された障子であってもよく、また外開き等の各種開閉形式に支持された障子であってもよい。
また、前記実施形態では、外召合せ框である上部中間框４４が、アルミ形材製の上部中間框室外部材４４１および上部中間框室内部材４４２と、これらを連結する樹脂製の断熱部材４４３とを有して構成され、断熱部材４４３によって断熱手段が構成されていたが、外召合せ框の構造としては、これに限られない。すなわち、外召合せ框が金属製の室外部材と樹脂製の室内部材とを有して構成されたものであってもよく、この場合には、樹脂製の室内部材によって断熱手段が構成される。また、外召合せ框が金属製の一体成形部材であり、その室内表面に樹脂製や木製の室内仕上げ部材が設けられていてもよく、この場合でも、室内仕上げ部材によって構成された室内部の結露が防止できるため、本願発明の目的が実現できる。
【００４６】
また、前記実施形態では、外召合せ框としての上部中間框４４と上部可動障子２０の下框２２との間に、以下の図１１に示すように、水受け手段としての第２気密材２２Ｂを設けてもよい。
ずなわち、図１１に示すように、上部可動障子２０の下框２２における下框室内部材２２２には、室外側に延びて上部中間框４４の上部中間框室内部材４４２に当接する第２気密材２２Ｂが取り付けられている。この第２気密材２２Ｂは、下框室内部材２２２における下端部かつ室外側端部に形成された気密材ポケットに保持され、上部中間框４４の下端部近傍に当接可能になっている。そして、上部可動障子２０の下框２２（内召合せ框）と上部中間框４４（外召合せ框）との間には、互いに対向した中空部２２３および上部中間框室内部材４４２と、第２気密材２２Ｂとで囲まれた中間空間２２Ｃが形成され、この中間空間２２Ｃに室内空間の内気が入らないようになっている。従って、湿った内気が中間空間２２Ｃへ入らないことから、上部中間框室内部材４４２の温度が下がったとしても、その表面の結露が防止できるとともに、例え結露が生じたとしても、結露水を第２気密材２２Ｂで受けることで、室内空間に水が垂れ落ちることが確実に防止できる。
なお、水受け手段の構成としては、前述のような第２気密材２２Ｂによるものに限らず、例えば、上部中間框室内部材４４２の下端部に設けた樋状あるいはレール状の水案内部であってもよく、このような水案内部の端部（縦框４３位置）に案内した水を排水する排水機構を設けてもよい。
【００４７】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００４８】
【図１】本発明の実施形態に係る建具を室外側から見た正面図である。
【図２】前記建具を示す縦断面図である。
【図３】前記建具を示す横断面図である。
【図４】前記建具を示す横断面図である。
【図５】前記建具を室外側から見た分解斜視図である。
【図６】前記建具の上部を拡大して示す縦断面図である。
【図７】前記建具の上部可動障子の召合せ部を拡大して示す縦断面図である。
【図８】前記建具の下部可動障子の召合せ部を拡大して示す縦断面図である。
【図９】前記建具の下部を拡大して示す縦断面図である。
【図１０】前記上部可動障子の召合せ部をさらに拡大して示す縦断面図である。
【図１１】本発明の変形例を示す縦断面図である。
【符号の説明】
【００４９】
１…上げ下げ窓（建具）、１０…窓枠、２０…上部可動障子、２１…上框、２２…下框、２２Ｂ…第２気密材（水受け手段）、２３…縦框、２４…ガラスパネル（面材）、４４…上部中間框（外召合せ框）、４４Ａ…面材保持部、４４Ｃ…気密材保持部、４４Ｄ…気密材、４８…固定ガラスパネル（室外面材）、２１２…上框室内部材、２２２…下框室内部材、２３２…縦框室内部材、４４１…上部中間框室外部材（室外部分）、４４２…上部中間框室内部材（室内部分）、４４３…断熱部材（連結部材）、４４４…上部中間框前面部（室外側保持面部）、４４５…上部中間框傾斜面部（上面部）。
【図１】
0005091633.tif 000002
【図２】
0005091633.tif 000003
【図３】
0005091633.tif 000004
【図４】
0005091633.tif 000005
【図５】
0005091633.tif 000006
【図６】
0005091633.tif 000007
【図７】
0005091633.tif 000008
【図８】
0005091633.tif 000009
【図９】
0005091633.tif 000010
【図１０】
0005091633.tif 000011
【図１１】
0005091633.tif 000012